(57)【要約】      （修正有）【課題】神棚に御飾りのお供えがし易い神棚の提供を目的とする。【解決手段】棚本体部１と、御飾り棚１０とを備え、棚本体部は、神棚の神殿部を載置する部分であり、御飾り棚は、棚本体部の前側に位置し、棚本体部に対して上下に昇降するようにする。重量のある神殿を載置した部分を棚本体部として壁等に固定したままにし、榊の水の交換等のメンテナンスや御供物の上げ下げに必要な部分を御飾り棚としてその棚部を昇降自在にした。【選択図】図１
0003113096.tif 000002
【実用新案登録請求の範囲】
【請求項１】
棚本体部と、御飾り棚とを備え、
棚本体部は、神棚の神殿部を載置する部分であり、御飾り棚は、棚本体部の前側に位置し、棚本体部に対して上下に昇降するように有していることを特徴とする神棚。
【請求項２】
御飾り棚は、榊あるいは御供物等の御飾りを載置するものであることを特徴とする請求項１記載の神棚。
【請求項３】
神棚の棚本体部の側板から、又は神棚を固定してある壁板から棚本体部の左右側部に御飾り棚側板を取り付け、左右の御飾り棚側板の前側端部間に昇降棚部を昇降自在に軸着したことを特徴とする神棚用の御飾り棚。
【請求項４】
左右の御飾り棚側板に回動軸を設け、回動軸にそれぞれ一端を軸着し、他端を昇降棚部の左右に設けた昇降棚側板に軸着した回動軸連結部材と、この回動軸連結部材と概ね平行で且つ両端の軸着部を対応する御飾り棚側板側の軸に対して、上側又は下側にずらして形成してある補助連結部材とを有していることを特徴とする請求項３記載の神棚用の御飾り棚。
【考案の詳細な説明】
【技術分野】
【０００１】
本考案は、神棚に関する。
【背景技術】
【０００２】
神棚は、部屋の高い位置で、南向きか東向きかに祀るのが吉とされている。
従来は、図４に示すように部屋の高い位置に設置した神棚用棚板１００に神殿（箱宮）２を奉安し、御飾り３をお供えしていた。
しかし、神棚に御飾りをお供えしたり、榊の水を交換したりする際には、位置が高く踏み台等を用いないと手が届かないと言う問題があった。
その都度踏み台を用いるのは手間が掛かり不便であり、また、足下が不安定な踏み台に乗って作業するのは危険でもあった。
【０００３】
実用新案登録第３０５９０１４号には神棚全体を昇降させる技術を開示するが、神棚は一般的に相当の重量があり、昇降操作が大変である。
【特許文献１】実用新案登録第３０５９０１４号公報
【考案の開示】
【考案が解決しようとする課題】
【０００４】
本考案は、神棚に御飾りのお供えがし易い神棚の提供を目的とする。
【課題を解決するための手段】
【０００５】
本考案に係る神棚は、棚本体部と、御飾り棚とを備え、棚本体部は、神棚の神殿部を載置する部分であり、御飾り棚は、棚本体部の前側に位置し、棚本体部に対して上下に昇降するように有していることを特徴とする。
本考案の趣旨は、重量のある神殿を載置した部分を棚本体部として壁等に固定したままにし、榊の水の交換等のメンテナンスや御供物の上げ下げに必要な部分を御飾り棚としてその棚部を昇降自在にした点にある。
従って、本考案においては、御飾り棚は、榊あるいは御供物等の御飾りを載置するものである。
【０００６】
神棚用の御飾り棚としては、神棚の棚本体部の側板から、又は神棚を固定してある壁板から棚本体部の左右側部に御飾り棚側板を取り付け、左右の御飾り棚側板の前側端部に昇降棚部を昇降自在に軸着したことを特徴とする。
ここで、昇降自在に軸着する方法としては、例えば左右の御飾り棚側板に回動軸を設け、回動軸にそれぞれ一端を軸着し、他端を昇降棚部の左右に設けた昇降棚側板に軸着した回動軸連結部材と、この回動軸連結部材と概ね平行で且つ両端の軸着部を対応する御飾り棚側板側の軸に対して、上側又は下側にずらして形成してある補助連結部材とを有している。
【考案の効果】
【０００７】
本考案においては、御飾り棚を棚本体部の前側に設けて、棚本体部に対して昇降自在にしたので、神棚の神殿部を固定したままで比較的軽い御飾り棚の昇降棚部のみ昇降すればよく、御飾りの交換操作が容易になる。
神棚本体部と御飾り棚とに分離したので、御飾り棚を既設の神棚に後付けすることも可能である。
【考案を実施するための最良の形態】
【０００８】
本考案に係る神棚の例を図１（イ）に示し、御飾り棚部分を図１（ロ）に示す。
神棚の棚本体部１に、例えば想像線で示した神殿２を載置し、御飾り棚１０の昇降棚部１１に主に榊、御供物等の御飾りを載置する。
なお、御飾り棚の目的が昇降棚部１１を昇降自在に設けた点にあり、この昇降棚部１１に御飾り以外の物を載せるのを禁止する趣旨ではない。
【０００９】
御飾り棚１０の昇降棚部１１の降下状態を図２に示し、図１（ロ）に示した上昇状態と合わせて以下説明する。
なお、図３には御飾り棚の組立図を示す。
棚本体部１は、新規に制作してもよいが、既設の神棚を棚本体部とし、それに御飾り棚を取り付けてもよい。
御飾り棚１０は、左右の御飾り棚側板１２Ｌ、１２Ｒを神棚の棚本体部の側板に沿って左右に配置する。
この御飾り棚側板１２Ｌ、１２Ｒは、本体部の側板に取り付けてもよいが、図１に示した例は、壁板等に左右の固定部材１６Ｌ、１６Ｒで取り付けられるようになっていて、固定部材の上部に引掛け穴１６ａを形成し、下側の固定孔１６ｂで壁板にビス止めできるようになっている。
【００１０】
左右の御飾り棚側板１２Ｌ、１２Ｒの前側端部間にシャフトを取り付けて回動軸１３を形成する。
図２（イ）、（ロ）に示すように昇降棚部１１の左右には、昇降棚側板１１Ｌ、１１Ｒを形成し、左右の昇降棚側板はそれぞれ対応する左右の御飾り側板１２Ｌ、１２Ｒに回動軸連結部材１４Ｌ、１４Ｒと補助連結部材１５Ｌ、１５Ｒとで連結してある。
回動軸連結部材１４Ｌ、１４Ｒの一端は、御飾り棚側板側の回動軸に軸着１３ａしてあり、他端は昇降棚側板に軸着１４ａしてある。
また、図２に示した例は、補助連結部材１５L、１５Rを回動軸連結部材と概ね平行であって、軸着部１５ａ、１５ｂが対応する御飾り棚側板の軸着部１４ａ、１３ａよりも上部にずらして形成してある。
これにより、図２（ロ）に示すように回動軸連結部材１４Ｌ、１４Ｒと補助連結部材１５Ｌ、１５Ｒとが干渉し、下降位置が定まる。
これに対して図１（ロ）に示すように、昇降棚部１１が上昇した状態では、昇降棚側板の前側に形成した折り返し状の傾斜係止部１１ａが御飾り棚側板の前側端部１２ａに当接する。
この場合に、上記前側端部１２ａが上方奥側に向けて傾斜しているとともに、回動軸連結部材１４Ｌ、１４Ｒと補助連結部材１５Ｌ、１５Ｒが平行四辺形を形成するようにリンク連結しているので上昇位置が定まる。
なお、上昇位置では昇降棚部の上面と棚本体部の上面がほぼ水平になるように設定するのが望ましく、連結部材の軸部には昇降棚部との重量バランスを取るようにトーションバネを取り付けてもよい。
【図面の簡単な説明】
【００１１】
【図１】本考案に係る神棚及び御飾り棚の例を示す。
【図２】本考案に係る御飾り棚の昇降模式図を示す。
【図３】本考案に係る御飾り棚の組立図を示す。
【図４】従来の神棚の例を示す。
【符号の説明】
【００１２】
１０    御飾り棚
１１    昇降棚部
１１Ｌ、１１Ｒ    昇降棚側板
１２Ｌ、１２Ｒ    御飾り棚側板
１３    回動軸（回動シャフト）
１４Ｌ、１４Ｒ    回動軸連結部材
１５Ｌ、１５Ｒ    補助連結部材
【図１】
0003113096.tif 000003
【図２】
0003113096.tif 000004
【図３】
0003113096.tif 000005
【図４】
0003113096.tif 000006